(57)【要約】  磁気共鳴イメージングシステム１０は角度インジケータモジュール３６と表示装置４０を含む。角度インジケータモジュール３６は静磁場Ｂ０  ４と画像４６に対するマジックアングル２配向を描く少なくとも一つの視覚インジケータ１を画像４６に加え、画像４６はＢ０場４において受信される磁気共鳴データから再構成される。表示装置４０は画像を視覚インジケータとともに表示する７４。マジックアングルは静磁場Ｂ０  ４に対するａｒｃｃｏｓ（１／√３）の角度である。さらに、視覚インジケータはオペレータにマジックアングルアーチファクトの尤度を示し得る。
2015526230.tif 000002
【特許請求の範囲】
【請求項１】
磁気共鳴イメージングシステムであって、
画像中の静磁場Ｂ０に対するマジックアングル配向を描く少なくとも一つの視覚インジケータを前記画像に加える角度インジケータモジュールであって、前記画像は前記Ｂ０場において受信される磁気共鳴データから再構成される、角度インジケータモジュールと、
前記視覚インジケータとともに前記画像を表示する表示装置と
を有する、磁気共鳴イメージングシステム。
【請求項２】
前記少なくとも一つの視覚インジケータが幾何学的形状と数値表現の少なくとも一つを含む、請求項１に記載のシステム。
【請求項３】
前記少なくとも一つの視覚インジケータがサイズ変更可能及び／又は再配置可能である、請求項１及び２のいずれか一項に記載のシステム。
【請求項４】
前記少なくとも一つの視覚インジケータがマジックアングルアーチファクトの尤度の表示を含む、請求項１乃至３のいずれか一項に記載のシステム。
【請求項５】
前記マジックアングルアーチファクトの尤度が前記視覚インジケータの色及び数値表示の少なくとも一つを含む、請求項１乃至４のいずれか一項に記載のシステム。
【請求項６】
医療関係者が線の少なくとも二点を示す少なくとも一つの入力装置をさらに含み、
前記少なくとも一つの視覚インジケータが前記線に沿って前記マジックアングルアーチファクトの尤度を示す、請求項１乃至５のいずれか一項に記載のシステム。
【請求項７】
前記画像が腱、靭帯、神経及び軟骨の少なくとも一つを含む、請求項１乃至６のいずれか一項に記載のシステム。
【請求項８】
前記少なくとも一つの視覚インジケータが前記Ｂ０場に対してａｒｃｃｏｓ（１／√３）の角度を定義する、請求項１乃至７のいずれか一項に記載のシステム。
【請求項９】
前記少なくとも一つの視覚インジケータが線及び楕円の少なくとも一つを含む、請求項１乃至８のいずれか一項に記載のシステム。
【請求項１０】
前記少なくとも一つの視覚インジケータが、
前記Ｂ０場の方向を示す矢印を持つ点線と、
前記点線に対しａｒｃｃｏｓ（１／√３）の角度で同じ点において前記矢印と交差する二本の線と
を含む、請求項１乃至９のいずれか一項に記載のシステム。
【請求項１１】
静磁場Ｂ０で磁気共鳴データから再構成される少なくとも一つの画像を受信するステップと、
前記Ｂ０場と前記画像に対するマジックアングル配向を描く少なくとも一つの視覚インジケータを前記少なくとも一つの画像に加えるステップと、
前記少なくとも一つの視覚インジケータとともに前記画像を表示装置上に表示するステップと
を有する、磁気共鳴イメージングの方法。
【請求項１２】
前記少なくとも一つの視覚インジケータをサイズ変更及び／又は再配置するステップをさらに含む、請求項１１に記載の方法。
【請求項１３】
前記少なくとも一つの視覚インジケータがマジックアングルアーチファクトの尤度の表示を含む、請求項１１及び１２にいずれか一項に記載の方法。
【請求項１４】
少なくとも一つの入力装置で表示装置上に線の少なくとも二点を示すステップと、
前記線がマジックアングルを近似する尤度と対応するように色、形状、及び数値表示の少なくとも一つによって前記少なくとも一つの視覚インジケータを変更するステップと
をさらに含む、請求項１１乃至１３のいずれか一項に記載の方法。
【請求項１５】
前記少なくとも一つの視覚インジケータが各々表示された画像スライスに含まれる、請求項１１乃至１４のいずれか一項に記載の方法。
【請求項１６】
前記マジックアングルアーチファクトの尤度の局在を示すように前記少なくとも一つの視覚インジケータの一部を変更するステップをさらに含む、請求項１１乃至１５のいずれか一項に記載の方法。
【請求項１７】
前記少なくとも一つの視覚インジケータが線及び楕円の少なくとも一つを含む、請求項１１乃至１６のいずれか一項に記載の方法。
【請求項１８】
請求項１２乃至１７のいずれか一項に記載の方法を実行するように一つ以上の電子データ処理装置を制御するソフトウェアを有する非一時的コンピュータ可読記憶媒体。
【請求項１９】
請求項１２乃至１７のいずれか一項に記載の方法を実行するように構成される電子データ処理装置。
【請求項２０】
磁気共鳴イメージングシステムであって、
静磁場Ｂ０において磁気共鳴データから再構成される画像を受信し、
前記Ｂ０場と前記画像に対するａｒｃｃｏｓ（１／√３）の角度を描く少なくとも一つの視覚インジケータを前記画像に加えるように構成される一つ以上のプロセッサと、
前記少なくとも一つの視覚インジケータとともに前記画像を表示する表示装置と
を有する、磁気共鳴イメージングシステム。
【発明の詳細な説明】
【技術分野】
【０００１】
以下は概して医用イメージングに関する。これは特に磁気共鳴イメージング（ＭＲＩ）と併用して応用され、特にそれに関して記載される。しかしながら、これは他の使用シナリオにおいても応用され、上述の応用に必ずしも限定されないことが理解される。
【背景技術】
【０００２】
整形外科ＭＲＩは膝、肩、肘などの体の部位において起こる疾患若しくは損傷組織についての腱、靭帯、及び神経のイメージングを含む。腱、靭帯、神経などの組織は、コラーゲンに結合した水を含有する高秩序のコラーゲンが豊富な組織を含む。コラーゲンに結合した水中のプロトンは、静磁場すなわちＢ０場に対する線維の配向に依存する強度を持つ双極子相互作用を受ける。強い双極子相互作用は通常、励起後の磁気共鳴（ＭＲ）信号の急速なディフェージングをもたらすので、腱、靭帯、神経などの組織は典型的には検出可能なＭＲ信号をほとんど若しくは全く生じない。ほとんど若しくは全くない検出可能なＭＲ信号は、従来の臨床パルスシーケンスでは暗く見える、すなわち組織は画像中にあらわれない。ＭＲイメージングシーケンスは典型的には損傷若しくは病変組織をコントラストで表示するように構成される。しかしながら、マジックアングル効果が疾患若しくは損傷の状態に関係なく組織の強度を増加若しくは減少させることがある。
【０００３】
マジックアングル効果は、そこで双極子相互作用が最強となるが、Ｂ０場と線維配向の間の正確に定義された角度で生じ、およそ５４．７°である。マジックアングルは立方体の対角線として視覚化され、ａｒｃｃｏｓ（１／√３）と定義され得る。磁気共鳴イメージングにおいて、マジックアングルは双極子相互作用を項３ｃｏｓ２θ−１によって変調させてＢ０場に対して見つけられる。θがマジックアングル若しくはおよそ５５°、１２５°などであるとき、双極子相互作用は最小化されるので、組織のＴ２が増加される。例えば、マジックアングル効果に起因するＴ２の増加がアキレス腱について０．６から２２ミリ秒及び７から２３ミリ秒の増加などと報告されている。ＭＲＩにおいてマジックアングルは画像にアーチファクトを生じる可能性があり、これはＢ０場に対してマジックアングルで配向した秩序だったコラーゲン線維を持つ組織を含む。例えば、肩の回旋腱板腱を評価するとき、マジックアングル効果は棘上筋腱炎の外観を作り得る。
【０００４】
マジックアングル効果を防ぐ一つの方法は、腱及び靭帯を撮像するために使用されるパルスシーケンスのエコー時間（ＴＥ）を増加することである。例えば、３７ミリ秒より長いパルスシーケンスの増加は腱及び靭帯に対する信号の増加をもたらさないが、疾患に起因する組織の信号は増加した。エコー時間の増加は得られる信号の特異性を増加するが、疾患に対する感度の低下を伴う。Ｔ１強調及び超短ＴＥ（ＵＴＥ）シーケンスなど、他の方法がイメージングシーケンスへの異なる変化を試みてきた。しかしながら、ＵＴＥシーケンスは今日、末梢神経、関節軟骨の基底層、及びある種の線維軟骨を含む広範な組織においてマジックアングル効果を持つことが認識されている。
【０００５】
別の方法は患者をリコールして疑わしいアーチファクト領域を異なる角度で撮像することである。しかしながら、この方法は非効率的な臨床ワークフローであり、典型的なＭＲＩスキャナの物理的制約条件のために制限され得る。
【０００６】
別の問題は、関係組織をセグメント化すること、及びマジックアングル効果を引き起こす個々の組織線維の配向を決定することの困難さを含む。画像を解釈する際、放射線科医は頻繁に、画像中の様々な組織コントラストに対するマジックアングル効果の可能性を頭の中で評価するために、画像への主磁場の配向に関してスキャナとシーケンスの操作知識を用いることになる。
【発明の概要】
【発明が解決しようとする課題】
【０００７】
以下は上述の問題などに対処するＭＲＩにおけるマジックアングルの新たな改良された視覚表示を開示する。
【課題を解決するための手段】
【０００８】
一態様によれば、磁気共鳴イメージングシステムは角度インジケータモジュールと表示装置を含む。角度インジケータモジュールは静磁場Ｂ０と画像に対するマジックアングル配向を描く少なくとも一つの視覚インジケータを画像に加え、画像はＢ０場において受信される磁気共鳴データから再構成される。表示装置は視覚インジケータとともに画像を表示する。
【０００９】
別の態様によれば、磁気共鳴イメージングの方法は、静磁場Ｂ０で磁気共鳴データから再構成される少なくとも一つの画像を受信するステップを含む。Ｂ０場と画像に対するマジックアングル配向を描く少なくとも一つの視覚インジケータが少なくとも一つの画像に加えられる。画像は表示装置上に少なくとも一つの視覚インジケータとともに表示される。
【００１０】
別の態様によれば、磁気共鳴イメージングシステムは一つ以上のプロセッサと表示装置を含む。一つ以上のプロセッサは静磁場Ｂ０において磁気共鳴データから再構成される画像を受信し、Ｂ０場と画像に対するマジックアングル配向を描く少なくとも一つの視覚インジケータを画像に加えるように構成される。表示装置は少なくとも一つの視覚インジケータとともに画像を表示する。
【００１１】
一つの利点はマジックアングルアーチファクトを含み得るＭＲ画像のより良い解釈である。
【００１２】
別の利点はマジックアングルアーチファクトのより容易な識別にある。
【００１３】
別の利点は画像中のマジックアングルの明確な識別にある。
【００１４】
別の利点はマジックアングルアーチファクトを生じやすい組織での磁気共鳴画像を含む臨床ワークフローを促進することにある。
【００１５】
なおさらなる利点は以下の詳細な記述を読んで理解することで当業者に理解される。
【００１６】
本発明は様々な構成要素と構成要素の配置、及び様々なステップとステップの配置で具体化し得る。図面は好適な実施形態を例示する目的に過ぎず、本発明を限定するものと解釈されないものとする。
【図面の簡単な説明】
【００１７】
【図１】ＭＲＩにおけるマジックアングルの視覚インジケータの一実施形態を図示する。
【図２】マジックアングルの視覚インジケータとともにＭＲＩシステムの一実施形態を図示する。
【図３】マジックアングルアーチファクトと視覚インジケータの実施形態とともに画像例を描く。
【図４】マジックアングルアーチファクトと視覚インジケータの実施形態とともに画像例を描く。
【図５】マジックアングルアーチファクトと視覚インジケータの実施形態とともに画像例を描く。
【図６】マジックアングルアーチファクトと視覚インジケータの実施形態とともに画像例を描く。
【図７】マジックアングルインジケータとともにＭＲＩシステムの一実施形態を用いる一つの方法をフローチャートに描く。
【発明を実施するための形態】
【００１８】
図１を参照すると、ＭＲＩにおけるマジックアングル２の視覚インジケータ１の一実施形態が図示される。視覚インジケータは２次元の幾何学的及び／又は数値表示を含む。視覚インジケータは画像スライスなどの２次元画像若しくはボリュームへのビューポートを伴うボリュームなどの３次元画像のために使用され得る。視覚インジケータは線などの静磁場すなわちＢ０場４の方向識別３を含む。線は矢印を含むか、点線、色付き、影付きなどであり得る。視覚インジケータはＢ０場４に対するマジックアングルを識別する一つ以上の線など、マジックアングル２の視覚識別５を含む。２次元表示において画像面に対する角度を示すためにＢ０場の角度が画像の面内にないときは楕円などの幾何オブジェクト６が使用され得る。
【００１９】
図２はマジックアングルの視覚インジケータ１とともにＭＲＩシステム１０の一実施形態を図示する。システム１０は断面図で示される、オープンシステム若しくはｃタイプスキャナ、水平ボアスキャナ、及び同様のものといったＭＲスキャナ１２を含む。スキャナは対象１６が分光及び／又はイメージング検査のために中に置かれる検査領域を規定する開口若しくはボア１４を含む。ＭＲスキャナ１２はＣ字型鉄フラックスリターンパスを持つ一つ以上の主磁石１８、一つ以上の高周波（ＲＦ）コイル２０、及び一つ以上のグラジエントコイル２２を含む。Ｃタイプ主磁石１８は垂直静磁場などの垂直静的Ｂ０場４を生成する。代替的に、ボア主磁石が水平静磁場を生成し得る。
【００２０】
システム１０はイメージングシーケンスの動作を制御するシーケンスコントローラ２４、ＲＦコイル２０の動作を制御するＲＦトランスミッタユニット２６、及びグラジエントコイル２２の動作を制御するグラジエントコントローラ２８を含む。制御ユニットと対応するコイル間の通信は無線若しくは有線であり得る。ＲＦコイル２０は対象１６の組織中の共鳴を励起し操作する高周波パルスを生成する。ＲＦコイル２０は全身コイル及び／又は局所コイル２１、例えば胴体コイル、手コイル、肩コイル、膝コイルなどを含み得る。一つ以上のグラジエントコイル２２は誘導共鳴、誘導グラジエントエコー及び同様のものを空間エンコードするために静磁場にわたって傾斜磁場を生成する。シーケンスコントローラ２４はＲＦコイルとグラジエントコイルを対象の組織中の共鳴を励起し操作するように構成する。
【００２１】
システム１０はＭＲ信号を受信するＲＦレシーバユニット３０を含む。対象の組織中で共鳴が減衰すると、弱い高周波信号すなわちＭＲ信号がＲＦコイル２０などの高周波アンテナによって受信され、ＲＦレシーバユニット３０へ送信される。プロセッサなどの再構成ユニット３２はＲＦデータ若しくはＭＲ信号をＲＦレシーバ２８から受信し、画像スライス、ボリュームなど、受信したＭＲデータから一つ以上の画像を再構成する。再構成画像は非一時的メモリなどのメモリ３３に記憶され得る。非一時的メモリはローカルディスクストレージ、クラウドストレージ、及び／又は画像保存通信システム（ＰＡＣＳ）、放射線情報システム（ＲＩＳ）、及び同様のものといったストレージ管理システムを含み得る。
【００２２】
システムはユーザインターフェースを含むワークステーション３４と角度インジケータモジュール３６を含む。ワークステーション３４は電子プロセッサ若しくは電子処理装置３８、再構成画像、視覚インジケータ１、メニュー、パネル、及びユーザコントロールを表示する表示装置４０、並びに医療関係者の選択を入力する少なくとも一つの入力装置４２を含む。ワークステーション３４はデスクトップコンピュータ、ラップトップ、タブレット、モバイルコンピューティングデバイス、スマートフォン、及び同様のものであり得る。表示装置４０はコンピュータモニタ、タッチスクリーン、陰極線管（ＣＲＴ）、蓄積管、フラットパネルディスプレイ、発光ダイオード（ＬＥＤ）ディスプレイ、電子発光ディスプレイ（ＥＬＤ）、プラズマディスプレイパネル（ＰＤＰ）、液晶ディスプレイ（ＬＣＤ）、有機発光ダイオードディスプレイ（ＯＬＥＤ）、プロジェクタ、及び同様のものを含み得る。入力装置４２はキーボード、マウス、マイクロフォン、及び同様のものであり得る。
【００２３】
再構成画像はメモリ３３から受信され、角度インジケータモジュール３６は視覚インジケータ１を追加する。画像と視覚インジケータは表示装置４０上に表示される。角度インジケータモジュールはメモリ４４にオブジェクトとして記憶される視覚インジケータ１の表現を読み出し得るか、若しくは線画ルーチン、グラフィックルーチン、表示ルーチンなどのルーチンから視覚インジケータを動的に構成し得る。視覚インジケータ１は局所性若しくはシステムにカスタマイズされ得る。医療関係者はワークステーション３４のユーザインターフェースを通じてシステムと相互作用することができ、角度インジケータモジュールは考えられるマジックアングルアーチファクトに照らして相互作用を解釈し処理し得る。例えば、視覚インジケータ１はＢ０に対する表示された他のスライス画像の角度、マジックアングルアーチファクトの尤度、及び／又は考えられるマジックアングルアーチファクトを含むかもしれない画像中の位置の医療関係者入力に基づいて変更され得る。
【００２４】
様々なユニット、モジュール若しくはコントローラ２４，２６，２８，３０，３２，３６は、ワークステーション３４の電子プロセッサ若しくは電子処理装置３８などの電子データ処理装置によって、又はネットワークによってワークステーション３４と動作可能に接続されるネットワークベースサーバコンピュータなどによって、適切に具体化される。さらに、開示の視覚化及び再構成技術は開示の再構成及び視覚化技術を実行するために電子データ処理装置によって読み取り可能で電子データ処理装置によって実行可能な命令（例えばソフトウェア）を記憶する非一時的記憶媒体として適切に実装される。
【００２５】
図３を参照するとマジックアングルアーチファクト４８及び視覚インジケータ１の一実施形態とともに画像例４６が描かれる。画像例は腱及び靭帯を含む足関節の画像スライスである。視覚インジケータ１の線５０に平行に配向した画像の明るい領域はマジックアングルアーチファクト４８をあらわす。この実施形態において、視覚インジケータは画像への参照として追加される。例えば、視覚インジケータは画像のコンテンツと重ならない画像表示の領域に位置するが、静磁場の配向及びＢ０場と画像に対するマジックアングル配向について医療関係者に参照を与える。一実施形態において、視覚インジケータ１は入力装置４２を用いて医療関係者から受信されるコマンドによって表示されるか若しくは表示されないことができる。
【００２６】
図４において視覚インジケータ１の別の実施形態とともに画像例４６が描かれる。視覚インジケータ１は再配置可能及び／又はサイズ変更可能である。マウスなどの入力装置４２を使用する医療関係者はドラッグアンドドロップなどの手法を用いて画像４６に対して視覚インジケータを動かす及び／又はサイズ変更することができる。視覚インジケータ１はマジックアングルの近似のため５５°表記などの数値表示を含み得る。マジックアングルの視覚的理解をさらに高めるために点線が数値表示とともに含まれ得る。視覚インジケータのサイジングと設置によって、医療関係者は画像内の考えられるアーチファクトに対するマジックアングルを視覚化することができる。
【００２７】
角度インジケータモジュール３６はマジックアングルアーチファクトの尤度を決定し得る。例えば、グラジエント画像若しくは画像ピクセルの最高強度値が、線をピクセル値にフィッティングする最小二乗回帰などの手法への入力として使用されることができ、マジックアングルアーチファクトの尤度を決定する。フィッティングされた線はＢ０場に対するマジックアングルをあらわす線に基づく。
【００２８】
角度インジケータモジュール３６はマジックアングルアーチファクトの決定若しくは尤度に基づいて視覚インジケータ１の外観を変更し得る。外観は視覚インジケータ成分の色、サイズ、形状、有／無、及び／又は強度によって変更され得る。例えば、図４に図示の通り、考えられるマジックアングルアーチファクト５２を示す視覚インジケータ１の部分は、考えられるマジックアングルアーチファクトの存在を示すように色などの外観が変更される。赤などの色が医療関係者による参照のために画像と視覚インジケータの間にコントラストを与える。マジックアングルアーチファクト５２の尤度を示さない視覚インジケータ１の他の部分は変更されないままであるか若しくはコントラストの弱い外観に変更され得る。黒／白、緑若しくは金などの色はアーチファクトの尤度を示さないが理解のために画像とコントラストをなし得る。視覚インジケータの外観の変化は視覚インジケータの位置に基づいて尤度の局在を示すか、又は全画像若しくは画像スライスを含み得る。例えば、交差線を含む視覚インジケータとともにあらわされる四分円は、その四分円内のアーチファクトの考えられる存在を示すように変更され得るか、若しくはアーチファクトに関連する画像の局所領域を示すように線の一部が変更される。別の実施形態において、視覚インジケータが画像の周りでドラッグされると、その現在の位置における確率を示すように色が変化し得る。
【００２９】
図５を参照すると、マジックアングルアーチファクトと視覚インジケータ１の一実施形態とともに画像例４６が示される。医療関係者は考えられるマジックアングルアーチファクトをあらわす線６０の端点５６，５８を示すことによって角度インジケータモジュール３６と相互作用し得る。医療関係者はマウスボタンを押して一方の端点を選択し、マウスをもう一方の端点へドラッグし、ボタンを離して他の端点を選択して線を引くなど、入力装置４２で端点５６，５８を選択することができる。線は選択された端点で示され、線、点線などによって視覚化され得る。線の端点は医療関係者によって移動可能であり得る。
【００３０】
角度インジケータモジュール３６は画像中のＢ０場の方向に対する線の角度を計算することによってマジックアングルの尤度を決定し得る。視覚インジケータは画像６４内のＢ０場の方向を示す。角度インジケータモジュールはこの場合５５°である線６２の角度を表示し得る。角度インジケータモジュールは、角度の数値表示６２の色及び医療関係者によって引かれる線６０の色を変えるなど、マジックアングルアーチファクトの尤度を示すように視覚インジケータ１の表示を変更し得る。例えば、腱が不連続であるようにみえるとき、医療関係者は腱の可視部上の二つ以上の点をマークするか、若しくは疑われるべきパスに沿って線若しくは曲線を引く。見かけの端点間の接続パスは線に沿ってマジックアングルアーチファクトの確率を示すように色付けされる。
【００３１】
図６を参照すると、マジックアングルアーチファクトと視覚インジケータ１の一実施形態とともに画像例４６が示される。図５と同様に、医療関係者は線６６を定義する二つの端点５６，５８を示すか若しくは線を引く。線は考えられるアーチファクトをあらわし得る。角度インジケータモジュール３６は線６６に基づいてマジックアングルの尤度を決定する。角度インジケータモジュールはこの場合３９°である線の実際の角度を計算し、視覚インジケータの一部として実際の角度６８を表示するなど、視覚インジケータ１の外観を変更し得る。角度インジケータモジュールはユーザが引いた線６６によるマジックアングルの尤度の決定に基づいて外観を変更し得る。この場合、線６６の色と表示された角度６８の色はマジックアングルが可能性が低いことを示すように緑色に変更される。
【００３２】
図７はマジックアングル視覚インジケータ１を伴うＭＲＩシステム１０の一実施形態を使用する一つの方法をフローチャートに描く。ステップ７０において、静磁場Ｂ０でＭＲデータから再構成される画像４６が受信される。画像は再構成プロセッサによる終了直後にメモリ３３から、若しくはＰＡＣＳ、ＲＩＳ、及び同様のものなどの非一時的メモリから、受信されるか若しくは読み出され得る。Ｂ０の配向は再構成ユニットから、若しくはＤｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ（ＤＩＣＯＭ）標準ヘッダ情報など画像と関連するメタデータから決定され得る。
【００３３】
オプションステップ７１若しくは代替的実施形態において、医療関係者は入力装置４２を用いて端点を示すことによって線を定義する。線は二つの端点によって定義され得る。線は、一つの線の端点が次の線の始点であるなど、多重連続線であり得る。線はコンピュータマウスのクリックアンドドラッグで腱のエッジをトレースするなど、入力装置４２で弧及び非直線を描くことを含み得る。
【００３４】
ステップ７２において視覚インジケータ１が追加される。視覚インジケータは図２に関して描かれ論じられた通り参照として追加され、画像ボリュームの各表示スライスに追加され得る。視覚インジケータは図３に関して描かれ論じられた通り再配置可能及び／又はサイズ変更可能であり得る。視覚インジケータは図３‐６に関して描かれ論じられた通りインタラクティブであり得る。視覚インジケータは画像分析及び／又は医療関係者入力に基づくマジックアングルアーチファクトの尤度の視覚表現を含み得る。
【００３５】
オプションステップ７３若しくは代替的実施形態において、尤度が視覚インジケータ若しくはその一部の外観を変更することによってあらわされ得る。視覚インジケータはマジックアングルの数値表示、医療関係者が定義した線によって示される測定された角度を含み得る。視覚インジケータの変更は色、形状、一部分の有／無、数値表示、テキストメッセージ、及び同様のものにおける変化など、マジックアングルアーチファクトの尤度を示し得る。視覚インジケータの変更は医療関係者によって定義される線若しくは視覚インジケータ１の一部を変更するなど、考えられるマジックアングルアーチファクトの局在を示し得る。
【００３６】
表示装置４０はステップ７４において画像４６と視覚インジケータ１を表示する。ステップは実施形態と医療関係者による入力に基づいてインタラクティブであり繰り返し可能であり得る。例えば、画像は視覚インジケータなしに入力装置４２で表示され得るので、入力されたキーボードコマンドが視覚インジケータ１を表示に追加する。他の実施形態において入力装置を通じた相互作用は初期表示後の視覚インジケータの再配置及び／又はサイズ変更を含み得る。さらに他の実施形態において、視覚インジケータは医療関係者が二点で線を定義し、角度インジケータモジュールがマジックアングルアーチファクトの尤度を決定してその決定の結果をディスプレイ上に示すなど、ディスプレイのインタラクティブコンポーネントであり得る。
【００３７】
本明細書に提示される特定の実施形態例に関連して、特定の構造的及び／又は機能的特徴が、定義された要素及び／又は部品に組み込まれるものとして記載されることが理解されるものとする。しかしながら、これらの特徴は、同一若しくは同様の利益のために、必要に応じて他の要素及び／又は部品にも同様に組み込まれ得ることが考慮される。実施形態例の異なる態様は、所望の応用に適した他の代替実施形態を実現するために必要に応じて選択的に利用されてもよく、他の代替実施形態はそれによってそこに組み込まれる態様の各利点を実現することもまた理解されるものとする。
【００３８】
本明細書に記載の特定の要素若しくは部品はハードウェア、ソフトウェア、ファームウェア若しくはそれらの組み合わせを介して適切に実装されるそれらの機能を持ち得ることもまた理解されるものとする。付加的に、一緒に組み込まれるように本明細書に記載される特定の要素は適切な状況下で独立した要素であってもよく若しくは他の方法で分離されてもよいことが理解されるものとする。同様に、一つの特定要素によって実行されるものとして記載される複数の特定の機能は個々の機能を実行するように個別に行動する複数の個別要素によって実行されてもよく、又は特定の個別機能が分配され、協調する複数の個別要素によって実行されてもよい。代替的に、互いに異なるものとして本明細書に他の方法で記載及び／又は図示された一部の要素若しくは部品は必要に応じて物理的に若しくは機能的に組み合わされてもよい。
【００３９】
要するに、本明細書は好適な実施形態に関して記載されている。明らかに、本明細書を読んで理解することで修正と変更が想到される。本発明はかかる修正と変更が添付の請求項若しくはその均等物の範囲内にある限り全て含むものと解釈されることが意図される。つまり、様々な上記及び他の特徴と機能、若しくはその代替案は、多くの他の異なるシステム若しくは応用に望ましく組み合わされてもよく、また以下の請求項によって包含されることが同様に意図される様々な現在予期しない若しくは予想外のその代替案、修正、変更若しくは改良が、当業者によって後になされてもよいことも理解される。
【図１】
2015526230.tif 000003
【図２】
2015526230.tif 000004
【図３】
2015526230.tif 000005
【図４】
2015526230.tif 000006
【図５】
2015526230.tif 000007
【図６】
2015526230.tif 000008
【図７】
2015526230.tif 000009
【国際調査報告】
2015526230.tif 000010
2015526230.tif 000011